(57)【要約】【課題】簡単な構造で開及び閉両方をワンタッチで表示可能な使いやすいバルブの開閉札を提供する。【解決手段】表裏のいずれか１面に開の文字を他面に閉の文字を記載した大きさの異なる一対の札２、３と、該一対の札２、３の各々の側面に固定された該一対の札を回動自在に連結するヒンジ８と、重ねられた該一対の札２、３を固定可能な固定手段１０、１１、１２、１３と、を含み、該一対の札２、３は、札２、３が重ねられたとき開又は閉の文字同士が合わさるように該ヒンジ８で連結され、大きい札２の上部には紐を固定するための孔９が設けられ、該一対の札２、３が重ねられたとき、大きい札２の上部に設けられた該孔９が小さい札３で塞がれない。【選択図】図１
2007206387.tif 000002
【特許請求の範囲】
【請求項１】
表裏のいずれか１面に開の文字を他面に閉の文字を記載した大きさの異なる一対の札と、
該一対の札の各々の側面に固定された該一対の札を回動自在に連結するヒンジと、
重ねられた該一対の札を固定可能な固定手段と、を含み、
該一対の札は、札が重ねられたとき開又は閉の文字同士が合わさるように該ヒンジで連結され、大きい札の上部には紐を固定するための孔が設けられ、該一対の札が重ねられたとき、大きい札の上部に設けられた該孔が小さい札で塞がれないことを特徴とするバルブ開閉札。
【請求項２】
表裏のいずれか１面に開の文字を他面に閉の文字を記載した同一の大きさを有する一対の札と、
該一対の札の各々の側面に固定された該一対の札を回動自在に連結するヒンジと、
重ねられた該一対の札を固定可能な固定手段と、を含み、
該一対の札は、札が重ねられたとき開又は閉の文字同士が合わさるように該ヒンジで連結され、一の札の上部には紐を固定するための孔が設けられ、他方の札の上部は一部が切り欠かれ、該一対の札が重ねられたとき、一の札の上部に設けられた該孔が他方の札で塞がれないことを特徴とするバルブ開閉札。
【請求項３】
前記固定手段は、面ファスナであり、該面ファスナは、前記一対の札の各々の表裏に前記ヒンジで連結された側と反対側の端部に固着されていることを特徴とする請求項１又は２に記載のバルブ開閉札。
【請求項４】
前記固定手段は、前記一対の札の各々の表裏に前記ヒンジで連結された側と反対側の端部に設けられた凹部と該凹部に係止する係止部材とからなることを特徴する請求項１又は２に記載のバルブ開閉札。
【発明の詳細な説明】
【技術分野】
【０００１】
本発明は、バルブの開閉状態を表示するために使用する開閉札に関し、特に一つの開閉札で開表示と閉表示とを表示することが可能なバルブの開閉札に関する。
【背景技術】
【０００２】
発電所、化学工場などにおいては、多くの機器、装置、配管が有機的に結合されており、配管には多くのバルブが配設され使用されている。このバルブの開閉状態を外部からでも確認できるように、バルブのハンドルなどに開閉札が取り付けられていることは周知のところである。バルブの開閉状態を表示する開閉札の基本型は、合成樹脂などからなる小判型、角型の札の表及び裏に、開又は閉の文字を表示するものである。開閉札の上部に設けられた小孔を利用して、開閉札に針金などを結びこの針金をバルブのハンドルに結びつけることで使用される。このような開閉札にあっては、一枚の札は開又は閉を表示するので、２種類の開閉札を準備する必要がある。またバルブの開操作、又は閉操作に伴い開閉札を取り替える必要があり、手間がかかっていた。このため一つの札で開表示、又は閉表示を表示可能な開閉札が多く開発され、一部は市販されている。
【０００３】
例えば特許文献１には、表裏いずれか一面に開の文字を記載し、他面に閉の文字を記載した２枚の札を背中合わせになるようにリングで結合し、両札の左右の間にそれぞれに２本のフックの基端をリングに結合してなる開閉札が開示されている。また非特許文献１には、表裏に開又は閉なる文字を記載した２枚の札を用いて、各々の札の上部に２つの小孔を設け、２枚の札を重ねた状態で２つの小孔に各々リングを通し、この２つのリングに紐を通した開閉札が開示されている。また、非特許文献２には、表と裏を折り返すことで簡単に開閉表示を切替え可能な開閉札が記載されている。
【特許文献１】実公平８−５４３５号公報
【非特許文献１】https://www.monotaro.com/c/013/999/
【非特許文献２】https://www.monotaro.com/p/0252/6413/
【発明の開示】
【発明が解決しようとする課題】
【０００４】
特許文献１に記載の技術は、両札の左右の間にそれぞれに設けられた２本のフックのいずれか１を持ち上げると、札がリングに吊り下げられ、開を表示し、他のフックを持ち上げると、札がリングに沿って反転し閉を表示できるとする。また、非特許文献１に記載の技術は、二つのリングを利用して札を反転させることで開、又は閉を表示するもので、札を吊り下げるために二つのリングを利用し、これに紐を通すことで行われる。特許文献１及び非特許文献１に記載の技術は、リングを利用してワンタッチで２つの札の合わさる面を変更し、札を吊り下げることで開又は閉の表示を維持しようとするものである。
【０００５】
特許文献１の技術では、２つの札が互いに固定されていないため、屋外など風の強い場所等でバルブから札が外れて落ちてしまうと、再度札を取り付ける際、フックを間違って取り付ける場合もある。札が落ちてしまうと、２つの札が互いに固定されていないため、札は開表示とも閉表示とも成り得る。バルブの開閉状態を外部から確認できる場合はともかく、バルブの開閉状態を目視で確認できない場合は、バルブの開閉を確認した後、開閉札をバルブに取り付ける必要があり、めんどうである。非特許文献１に記載の技術も同様の問題がある。
【０００６】
非特許文献２に記載の技術は、特許文献１及び非特許文献１に記載の技術とは異なり、２つの札は固定して使用されるため、札が落ちたとき開表示、又は閉表示が入れ替わる心配はない。しかし非特許文献２に記載の開閉札は、札を吊り下げる吊下げ部が、札の上端に突出するように設けられているため、コストアップとなる。またデザイン的にもスマートとは言えない。
【０００７】
本発明の目的は、簡単な構造で開及び閉両方をワンタッチで表示可能な使いやすいバルブの開閉札を提供することにある。
【課題を解決するための手段】
【０００８】
本発明は、表裏のいずれか１面に開の文字を他面に閉の文字を記載した大きさの異なる一対の札と、
該一対の札の各々の側面に固定された該一対の札を回動自在に連結するヒンジと、
重ねられた該一対の札を固定可能な固定手段と、を含み、
該一対の札は、札が重ねられたとき開又は閉の文字同士が合わさるように該ヒンジで連結され、大きい札の上部には紐を固定するための孔が設けられ、該一対の札が重ねられたとき、大きい札の上部に設けられた該孔が小さい札で塞がれないことを特徴とするバルブ開閉札である。
【０００９】
また本発明は、表裏のいずれか１面に開の文字を他面に閉の文字を記載した同一の大きさを有する一対の札と、
該一対の札の各々の側面に固定された該一対の札を回動自在に連結するヒンジと、
重ねられた該一対の札を固定可能な固定手段と、を含み、
該一対の札は、札が重ねられたとき開又は閉の文字同士が合わさるように該ヒンジで連結され、一の札の上部には紐を固定するための孔が設けられ、他方の札の上部は一部が切り欠かれ、該一対の札が重ねられたとき、一の札の上部に設けられた該孔が他方の札で塞がれないことを特徴とするバルブ開閉札である。
【００１０】
また本発明で、前記固定手段は、面ファスナであり、該面ファスナは、前記一対の札の各々の表裏に前記ヒンジで連結された側と反対側の端部に固着されていることを特徴とする請求項１又は２に記載のバルブ開閉札である。
【００１１】
また本発明で、前記固定手段は、前記一対の札の各々の表裏に前記ヒンジで連結された側と反対側の端部に設けられた凹部と該凹部に係止する係止部材とからなることを特徴する請求項１又は２に記載のバルブ開閉札である。
【発明の効果】
【００１２】
本発明のバルブ開閉札は、表裏のいずれか１面に開の文字を他面に閉の文字を記載した大きさの異なる一対の札の側面に、一対の札を回動自在に連結するヒンジを有するとともに、一対の札を重ねたとき札を固定する固定手段を備え、一対の札は、札が重ねられたとき開又は閉の文字同士が合わさるようにヒンジで連結され、大きい札の上部には紐を固定するための孔が設けられ、一対の札が重ねられたとき、大きい札の上部に設けられた孔が小さい札で塞がれない構造を有するので、簡単な構造で、ワンタッチで開及び閉両方の表示をすることができる。
【００１３】
本発明のバルブ開閉札は、一対の札を重ねたとき札を固定する固定手段を備えるので、仮にバルブ開閉札がバルブから落下しても、バルブ開閉札は、落下前の状態と同じ状態であり、開又は閉表示が入れ替わることがなく安心して使用することができる。さらに、大きい札の上部にのみ紐を固定するための孔が設けられ、一対の札が重ねられたとき、大きい札の上部に設けられた孔が小さい札で塞がれないので、バルブ開閉札を紐で吊り下げた状態で、開又は閉表示を替えることが可能で便利である。一対の札の大きさを変え、大きい札の上部にのみ紐を固定するための孔を設けることで、従来のバルブ開閉札のように上端部に紐を取り付けるための吊下げ部を設ける必要がなく、安価にまたデザイン的にも優れたバルブ開閉札を提供することができる。
【００１４】
また本発明のバルブ開閉札は、表裏のいずれか１面に開の文字を他面に閉の文字を記載した同一の大きさを有する一対の札と、一対の札の各々の側面に固定された一対の札を回動自在に連結するヒンジと、重ねられた一対の札を固定可能な固定手段と、を含み、一対の札は、札が重ねられたとき開又は閉の文字同士が合わさるようにヒンジで連結され、一の札の上部には紐を固定するための孔が設けられ、他方の札の上部は一部が切り欠かれ、一対の札が重ねられたとき、一の札の上部に設けられた孔が他方の札で塞がれない構造を有するので、簡単な構造で、ワンタッチで開及び閉両方の表示をすることができる。
【００１５】
本発明のバルブ開閉札は、一対の札を重ねたとき札を固定する固定手段を備えるので、仮にバルブ開閉札がバルブから落下しても、バルブ開閉札は、落下前の状態と同じ状態であり、開又は閉表示が入れ替わることがなく安心して使用することができる。さらに、一の札の上部には紐を固定するための孔が設けられ、他方の札の上部は一部が切り欠かれ、一対の札が重ねられたとき、一の札の上部に設けられた孔が他方の札で塞がれないので、バルブ開閉札を紐で吊り下げた状態で、開又は閉表示を替えることが可能で便利である。上記のような構成を採用することで、従来のバルブ開閉札のように上端部に紐を取り付けるための吊下げ部を設ける必要がなく、安価にまたデザイン的にも優れたバルブ開閉札を提供することができる。
【００１６】
また本発明によれば、一対の札の固定手段は、面ファスナであり、面ファスナは、一対の札の各々の表裏にヒンジで連結された側と反対側の端部に固着されているので、簡単な構成で、一対の札を重ねたとき簡単にまた確実に一対の札を固定することができる。
【００１７】
また本発明によれば、一対の札の固定手段は、一対の札の各々の表裏にヒンジで連結された側と反対側の端部に設けられた凹部と凹部に係止する係止部材とからなるので、簡単な構成で、一対の札を重ねたとき簡単にまた確実に一対の札を固定することができる。
【発明を実施するための最良の形態】
【００１８】
図１は本発明の第一実施形態としてのバルブ開閉札１であり、図１（ａ）は、バルブ開閉札１を開いた状態での正面図、図１（ｂ）は、バルブ開閉札１を開いた状態での背面図である。バルブ開閉札１は大きさの異なる一対の小判型の札２、３を有し、札２の一面４には開の文字が、札２の他の面５は閉の文字が記載されている。同様に札３の一面６には開の文字が、札３の他の面７は閉の文字が記載されている。札２、３は、一端に設けられたヒンジ８で連結されている。札２、３は、ヒンジ８を中心に裏表両方に回動することが可能であり、札２、３を重ね合わせたとき、合わさる面に開又は閉の文字同士が来るように連結されている。
【００１９】
札２と札３とは大きさが異なり、大きい札２の上部にのみ、このバルブ開閉札１を紐で吊るすための小孔９が穿設されている。札２と札３との幅は同一で、札３の長さが若干短くなっており、札２と札３とを重ね合わせると、札の下端、側面は一致するものの、札２と札３の上端は一致しない。また大きい札２の上部に穿設された小孔９は、札２と札３を重ね合わせたとき、札３によって塞がれない位置に設けられている。これにより、後述のようにバルブ開閉札１をバルブに吊るしたまま、ワンタッチで開閉表示を変更することが可能となる。
【００２０】
またヒンジ連結部とは反対側の端部には、面ファスナが固着されている。札２の面４の端部に固着された面ファスナ１０、札３の面６の端部に固着された面ファスナ１１を合わせることで札２、３を固定することができる。同様に札２の面５の端部に固着された面ファスナ１２、札３の面７の端部に固着された面ファスナ１３を合わせることで札２、３を固定することができる。札２、３は、従来のバルブ開閉札で使用されている合成樹脂製の札を使用することが可能である。
【００２１】
このバルブ開閉札１を使用するときは、一対の札２、３を重ね合わせ、面ファスナ１０、１１又は面ファスナ１２、１３で一対の札２、３を固定して使用する。開表示の札として使用する場合は、札２の閉の文字が記載された面５及び札３の閉の文字が記載された面７が重なるように、面ファスナ１２、１３を連結させる。これによりバルブ開閉札１の表裏に開の文字が表示されるので、このバルブ開閉札１をバルブに吊し使用することができる。同様に閉表示の札として使用する場合は、札２の開の文字が記載された面４及び札３の開の文字が記載された面６が重なるように、面ファスナ１０、１１を連結させる。これによりバルブ開閉札１の表裏に閉の文字が表示される。
【００２２】
本発明のバルブ開閉札１は、ヒンジ連結部とは反対側の端部に面ファスナ１０、１１、１２、１３が固着されているので、面ファスナ１０、１１又は１２、１３を合わせることで札２、３を固定して使用することができる。これによりバルブ開閉札１が落下したようなときでも、札２、３が開くことはない。よってバルブ開閉札１が落下しても、開表示から閉表示に、又は閉表示から開表示に表示が変わったり、札２、３が開くことにより開表示であったか、閉表示であったか分からなくなることもないので、安心して使用することができる。
【００２３】
また、一対の札は大きさが異なり、バルブ開閉札１を吊るすための小孔９は、大きい札２の上部であって、札２、３を重ねたとき小さい札３が被さらない位置に設けられているので、バルブ開閉札１を吊るした状態で、ワンタッチで開閉表示を変更することが可能となり便利である。札２、札３を重ねたとき小孔９が札３で塞がれる位置にあると、小孔９に取り付けた紐がじゃまとなり、札２と札３とが隙間なく重ならず札２と札３とを固定することができないが、本発明ではこのような問題は生じない。また一対の札２、３の大きさを変え、紐を固定するための小孔９を大きい札２の上部にのみ設けることで、従来のバルブ開閉札のように札の上端部に紐を固定するための吊下げ部を設ける必要がなく、安価に製造することができる。またデザイン的にも優れたものとなる。
【００２４】
図２は本発明の第二実施形態としてのバルブ開閉札２０を開いた状態の斜視図である。図１（ａ）、図１（ｂ）と同一の部材には、同一の符号を付して重複する説明を省略する。第二実施形態に示すバルブ開閉札２０は、第一実施形態に示すバルブ開閉札１と同様、バルブ開閉札１は大きさの異なる一対の小判型の札２、３を有し、札２の一面４には開の文字が、札２の他の面５（図示を省略）には閉の文字が記載されている。同様に札３の一面６には開の文字が、札３の他の面７（図示を省略）には閉の文字が記載されている。札２、３は、一端に設けられたヒンジ８で連結され、札２、３は、ヒンジ８を中心に裏表両方に回動することが可能であり、札２、３を重ね合わせたとき、合わさる面に開又は閉の文字同士が来るように連結されている。また、大きい札２の上部にのみ、このバルブ開閉札２０を紐で吊るすための小孔９が穿設されている。
【００２５】
第一実施形態に示すバルブ開閉札１と第二実施形態に示すバルブ開閉札２０とでは、札２、札３を重ねたとき、札２、３が開かないように固定する固定手段が異なる。第一実施形態としてのバルブ開閉札１では、札２、３が開かないように固定する固定手段として、面ファスナ１０、１１、１２、１３を使用するが、第二実施形態としてのバルブ開閉札２０では、札２、３が開かないように固定する固定手段として凹部２１と突起体２２とからなる係止手段を使用する。
【００２６】
札３は、ヒンジ連結部とは反対側の端部近傍に、小さな凹部２１を有する。一方札２は、ヒンジ連結部とは反対側の端部近傍に小さな弾力性を有する突起体２２を備え、札２と札３とを重ね、一定以上の荷重を加えると、札２の突起体２２が札３の凹部２１に嵌まり込み、札２と札３とは固定される。固定した札２、３を開く方向に一定以上の負荷を加えると、突起体２２が凹部２１から外れ、札２、３を開くことができる。札２の面４と札３の面６とを合わせることで、閉の表示の札として使用することができる。札３の面７（図示を省略）にもヒンジ連結部とは反対側の端部近傍に、小さな凹部（図示を省略）が、札２の面５（図示を省略）にもヒンジ連結部とは反対側の端部近傍に小さな突起体（図示を省略）が設けられているので、札２の面５と札３の面７とを重ね力を加えると、札２の突起体が札３の凹部に嵌まり込み、札２と札３とは固定され開表示の札として使用することができる。バルブ開閉札２０の使用方法、その効果はバルブ開閉札１と同様である。
【００２７】
図３は本発明の第三実施形態としてのバルブ開閉札３０を開いた状態の斜視図である。図１（ａ）、図１（ｂ）及び図２と同一の部材には、同一の符号を付して重複する説明を省略する。第三実施形態に示すバルブ開閉札３０は、第一実施形態に示すバルブ開閉札１、第二実施形態に示すバルブ開閉札２０と同様、バルブ開閉札１は大きさの異なる一対の小判型の札２、３を有し、札２の一面４には開の文字が、札２の他の面５（図示を省略）には閉の文字が記載されている。札３の一面６には開の文字が、札３の他の面７（図示を省略）には閉の文字が記載されている。札２、３は、一端に設けられたヒンジ８で連結され、札２、３は、ヒンジ８を中心に裏表両方に回動することが可能であり、札２、３を重ね合わせたとき、合わさる面に開又は閉の文字同士が来るように連結されている。また、大きい札２の上部にのみ、このバルブ開閉札２０を紐で吊るすための小孔９が穿設されている。
【００２８】
以上のように第三実施形態に示すバルブ開閉札３０は、第一実施形態に示すバルブ開閉札１、第二実施形態に示すバルブ開閉札２０と基本的には同じ構成であるが、札２、札３を重ねたとき、札２、３が開かないように固定する固定手段が異なる。第一実施形態としてのバルブ開閉札１では、札２、３が開かないように固定する固定手段として、面ファスナ１０、１１、１２、１３を、第二実施形態としてのバルブ開閉札２０では、札２、３が開かないように固定する固定手段として凹部２１と突起体２２とからなる係止手段を使用するが、第三実施形態としてのバルブ開閉札３０は、固定手段として凹部と断面がコの字型の固定部材とからなる係止手段を使用する。
【００２９】
札２はヒンジ連結部とは反対側の端部に、小さな凹部３１を有する。一方札３もヒンジ連結部とは反対側の端部に小さな凹部３２を有する。さらにバルブ開閉札３０は、凹部３１、３２に嵌まり込み、札２と札３とを固定する断面がコの字型の弾力性を有する固定部材３３を備える。札２の面５（図示を省略）と札３の面７（図示を省略）とを重ね、固定部材３３を札２及び札３の凹部３１、３２に押し込むと、固定部材３３が札２及び札３の凹部３１、３２に嵌まり込み、札２と札３とは固定される。これにより開の表示の札として使用することができる。札２の面５（図示を省略）にもヒンジ連結部とは反対側の端部に、凹部（図示を省略）が、札３の面７（図示を省略）にもヒンジ連結部とは反対側の端部に凹部（図示を省略）が設けられているので、札２の面４と札３の面６とを重ね、固定部材３３を札２及び札３の凹部に押し込むと、固定部材３３が札２及び札３の凹部に嵌まり込み、札２と札３とは固定され、閉表示の札として使用することができる。なお、固定部材３３は、ヒンジ連結部とは反対方向に一定以上の負荷を加えると、取外すことができる。バルブ開閉札３０の使用方法、その効果はバルブ開閉札１、バルブ開閉札２０と同様である。
【００３０】
図４は本発明の第四実施形態としてのバルブ開閉札４０を重ねた状態の斜視図である。図１（ａ）、図１（ｂ）、図２及び図３と同一の部材には、同一の符号を付して重複する説明を省略する。第四実施形態に示すバルブ開閉札４０は、第一実施形態から第三実施形態に示すバルブ開閉札１、２０、３０と同様、バルブ開閉札１は大きさの異なる一対の小判型の札２、３を有し、札２の一面４（図示を省略）には開の文字が、札２の他の面５には閉の文字が記載されている。札３の一面６には開の文字が、札３の他の面７（図示を省略）には閉の文字が記載されている。札２、３は、一端に設けられたヒンジ８（図示を省略）で連結され、札２、３は、ヒンジ８（図示を省略）を中心に裏表両方に回動することが可能であり、札２、３を重ね合わせたとき、合わさる面に開又は閉の文字同士が来るように連結されている。また、大きい札２の上部にのみ、このバルブ開閉札２０を紐で吊るすための小孔９が穿設されている。
【００３１】
以上のように第四実施形態に示すバルブ開閉札４０は、第一から第三実施形態に示すバルブ開閉札１、２０、３０と基本的には同じ構成であるが、札２、札３を重ねたとき、札２、３が開かないように固定する固定手段が異なる。第四実施形態としてのバルブ開閉札４０は、固定手段として貫通孔４１、４２と押込ピン４３とからなる係止手段を使用する。この押込ピン４３は弾力性を有するので、直径が略同一の貫通孔４１、４２に一定の負荷を加えて押し込むと、貫通孔４１、４２に嵌り込む。貫通孔４１、４２に入り込んだ押込ピン４３に対して、引き抜く方向に一定以上の負荷を加えると押込ピン４３を貫通孔４１、４２から取り外すことができる。
【００３２】
札２はヒンジ連結部とは反対側の端部近傍に、貫通孔４１を有する。札３もヒンジ連結部とは反対側の端部近傍に貫通孔４２を有する。この二つの貫通孔４１、４２は、札２と札３とを重ねたとき、同じ位置となるように穿設されている。さらにバルブ開閉札４０は、この貫通孔４１、４２に嵌まり込み、札２と札３とを固定する押込ピン４３を備える。札２と札３とを重ね、貫通孔４１、４２に押込ピン４３を押し込むと、押込ピン４３は、貫通孔４１、４２に嵌まり込み、札２と札３とは固定される。札２の面４（図示を省略）と札３の面６とを合わせることで、閉の表示の札として使用することができる。一方、札２の面５と札３の面７（図示を省略）とを重ね、押込ピン４３を札２及び札３の貫通孔４１、４２に押し込むと、押込ピンが札２及び札３の貫通孔４１、４２に嵌まり込み、札２と札３とは固定され、開表示の札として使用することができる。バルブ開閉札４０の使用方法、その効果はバルブ開閉札１、バルブ開閉札２０、バルブ開閉札３０と同様である。
【００３３】
図５は本発明の第五実施形態としてのバルブ開閉札５０を開いた状態の正面図である。図１（ａ）、図１（ｂ）から図４と同一の部材には、同一の符号を付して重複した説明を省略する。第一から第四実施形態に示すバルブ開閉札１、２０、３０、４０が、大きさの異なる一対の札２、札３で構成されていたのに対し、第五実施形態に示すバルブ開閉札５０は、同一の大きさ（略同一の大きさを含む）札２と札３とを有する。札２の一面４には開の文字が、札２の他の面５（図示を省略）は閉の文字が記載されている。同様に札３の一面６には開の文字が、札３の他の面７（図示を省略）は閉の文字が記載されている。札２、３は、一端に設けられたヒンジ８で連結されている。札２、３は、ヒンジ８を中心に裏表両方に回動することが可能であり、札２、３を重ね合わせたとき、合わさる面に開又は閉の文字同士が来るように連結されている。また、大きい札２の上部にのみ、このバルブ開閉札５０を紐で吊るすための小孔９が穿設されている。またヒンジ連結部とは反対側の端部には、面ファスナ１０、１１、１２（図示を省略）、１３（図示を省略）が固着されている。
【００３４】
第一実施形態のバルブ開閉札１と第五実施形態に示すバルブ開閉札５０とを比較すると、基本的な構成は同一であるが、札３の大きさと札３の上部の一部が切り取られている点が第一実施形態のバルブ開閉札１とは異なる。札３の上部の切り欠き５１により、札２と札３とを重ね合わせたとき、札３により札２の紐を吊るための小孔９が塞がれることがない。よって、第一実施形態に示したバルブ開閉札１と同様の方法で使用することが可能となり、第一実施形態に示したバルブ開閉札１と同様の効果を有する。
【００３５】
以上、第一実施形態から第五実施形態に示すように本バルブ開閉札の特徴は、一対の札をヒンジで回動可能に連結し、一対の札を重ね合わせたとき、札が簡単に開かないように固定する固定手段と、一対の札を重ね合わせたとき、札を吊下げるための紐を固定する孔が塞がれない点に特徴がある。これによりバルブ開閉札を吊下げた状態で、ワンタッチで開閉表示を変更可能であるとともに、開閉表示を安定的に表示することができる。なお、本発明は上記実施形態に限定されるものではないので、本発明のポイントを逸脱しない範囲でバルブ開閉札を変形して使用することも可能である。
【図面の簡単な説明】
【００３６】
【図１】本発明の第一実施形態としてのバルブ開閉札１であり、図１（ａ）は、バルブ開閉札１を開いた状態での正面図、図１（ｂ）は、バルブ開閉札１を開いた状態での背面図である。
【図２】本発明の第二実施形態としてのバルブ開閉札２０を開いた状態の斜視図である。
【図３】本発明の第三実施形態としてのバルブ開閉札３０を開いた状態の斜視図である。
【図４】本発明の第四実施形態としてのバルブ開閉札４０を重ねた状態の斜視図である。
【図５】本発明の第五実施形態としてのバルブ開閉札５０を開いた状態の正面図である。
【符号の説明】
【００３７】
１          バルブ開閉札
２          札
３          札
８          ヒンジ
９          小孔
１０、１１  面ファスナ
１２、１３  面ファスナ
２０        バルブ開閉札
２１        凹部
２２        突起体
３０        バルブ開閉札
３１、３２  凹部
３３        固定部材
４０        バルブ開閉札
４１、４２  貫通孔
４３        押込ピン
５０        バルブ開閉札
５１        切り欠き
【図１】
2007206387.tif 000003
【図２】
2007206387.tif 000004
【図３】
2007206387.tif 000005
【図４】
2007206387.tif 000006
【図５】
2007206387.tif 000007